(57)【要約】【課題】  本発明は、原稿排紙台に排紙された原稿の取り出しを容易に行なうことができるとともに、原稿載置台に載置する原稿または原稿排紙台に排紙された原稿を簡単に揃えることができるスペースを有する自動原稿搬送装置を提供するものである。【解決手段】  原稿載置台９の手前側の所定箇所に切欠き部９ａを形成するとともに、この切欠き部９ａの下方を含んだ原稿排紙台18の手前側の部分に平面状の凹部18ａを形成し、凹部18ａとこの凹部18ａを除いた原稿排紙台18部分の境界部に段差18ｂを形成する。【選択図】      図２
2006008415.tif 000002
【特許請求の範囲】
【請求項１】
原稿を載置するとともに原稿の搬送方向と同方向に延在する原稿載置台と、該原稿載置台の下方に設けられ、前記原稿載置台から給紙された原稿が排紙される原稿排紙台と、を有し、前記原稿の搬送方向が左右方向になるように原稿載置台および原稿排紙台が配置される自動原稿搬送装置において、
前記原稿載置台の手前側の所定箇所に切欠き部を形成するとともに、少なくとも前記切欠き部の下方に位置する前記原稿排紙台部分に平面状の凹部を形成し、前記凹部と該凹部を除いた前記原稿排紙台部分の境界部に段差を形成したことを特徴とする自動原稿搬送装置。
【請求項２】
前記原稿載置台に載置された原稿を給紙して反転した後、前記原稿排紙台上に排紙する原稿搬送手段を有することを特徴とする請求項１記載の自動原稿搬送装置。
【発明の詳細な説明】
【技術分野】
【０００１】
本発明は、複写機、ファクシミリ装置等の画像形成装置に備えられた自動原稿搬送装置に関し、例えば、原稿載置台の下方に原稿排紙台を設けることにより省スペース化を図ることができる自動原稿搬送装置に関する。
【背景技術】
【０００２】
複写機、ファクシミリ装置等の画像形成装置にあっては、高速化、多機能化するとともに、より一層の省スペース化が要求されており、それに従ってこの画像形成装置に具備される自動原稿搬送装置（以下、単にＡＤＦという）の省スペース化もより一層要求されるようになっている。
【０００３】
このような要求を満足するために、従来のＡＤＦにあっては、図６に示すように複数の原稿からなる原稿束を載置可能な原稿トレイ１上の下方に排紙台２を設置し、原稿トレイ１に載置された原稿を分離した後、反転経路を介してＡＤＦの下方に設けられたスリットガラス上に搬送するターン給紙を行なった後、排紙台２上に排紙する構造を採用している。
【発明の開示】
【発明が解決しようとする課題】
【０００４】
しかしながら、このようなＡＤＦにあっては、原稿トレイ１と排紙台２が２層構造になっており、その上下方向のスペースを小さくするために原稿トレイ１と排紙台２の間隔も短くなっているため、排紙台２から原稿を取り出すために、図７に示すようにユーザが原稿トレイ１と排紙台２の間に手を入れて原稿Ｐを撓ませたり、引張り出すようにしなければならず、原稿の取り出し性が非常に悪いものとなってしまうという問題があった。
【０００５】
また、排紙台２から取り出した原稿または原稿トレイ１上に原稿を載置する前に原稿を揃える必要があるが、原稿を揃えるためのスペースがないため、望ましくはそのようなスペースを確保する必要もあった。
【０００６】
そこで本発明は、原稿排紙台に排紙された原稿の取り出しを容易に行なうことができるとともに、原稿載置台に載置する原稿または原稿排紙台に排紙された原稿を簡単に揃えることができるスペースを有する自動原稿搬送装置を提供するものである。
【課題を解決するための手段】
【０００７】
本発明の自動原稿搬送装置は、原稿を載置するとともに原稿の搬送方向と同方向に延在する原稿載置台と、該原稿載置台の下方に設けられ、前記原稿載置台から給紙された原稿が排紙される原稿排紙台と、を有し、前記原稿の搬送方向が左右方向になるように原稿載置台および原稿排紙台が配置される自動原稿搬送装置において、前記原稿載置台の手前側の所定箇所に切欠き部を形成するとともに、少なくとも前記切欠き部の下方に位置する前記原稿排紙台部分に平面状の凹部を形成し、前記凹部と該凹部を除いた前記原稿排紙台部分の境界部に段差を形成したことを特徴としている。
【０００８】
この構成により、原稿載置台に原稿が排紙されたときに、原稿排紙台に形成された凹部と原稿の間に指を挿入して原稿を取り出すことができ、原稿の取り出し性を良好なものにすることができる。
【０００９】
また、原稿載置台に載置する原稿または原稿排紙台に排紙された原稿を揃える際に、原稿排紙台に形成された凹部とこの凹部を除いた原稿排紙台部分の境界部に形成された段差に原稿を突き当てて原稿を揃えることができる。このとき、原稿載置台に形成された切欠き部が凹部のスペースを避けているため、原稿を段差に確実に突き当てることができる。この結果、原稿を揃えるスペースを確保して原稿を簡単に揃えることができる。
【００１０】
また、本発明の自動原稿搬送装置は、前記原稿載置台に載置された原稿を給紙して反転した後、前記原稿排紙台上に排紙する原稿搬送手段を有することを特徴としている。
【００１１】
この構成により、原稿載置台と原稿排紙台を２層構造にすることができ、自動原稿搬送装置の設置スペースを少なくすることができる。
【発明の効果】
【００１２】
以上説明したように、本発明は、原稿排紙台に排紙された原稿の取り出しを容易に行なうことができるとともに、原稿載置台に載置する原稿または原稿排紙台に排紙された原稿を簡単に揃えることができるスペースを有する自動原稿搬送装置を提供することができる。
【発明を実施するための最良の形態】
【００１３】
以下、本発明の実施の形態を図面に基づいて説明する。
【００１４】
図１〜５は本発明に係る自動原稿搬送装置の一実施の形態を示す図である。
【００１５】
まず、構成を説明する。図１において、１は複写機であり、この複写機１の本体１ａの上部にはスリットガラス２とコンタクトガラス３が設けられている。スリットガラス２は原稿の数行分の画像に相当する面積を有し、コンタクトガラス３は最大サイズの原稿よりも若干大きな面積を有している。
【００１６】
このスリットガラス２とコンタクトガラス３の下方には露光ランプ４と第１ミラー５等が設けられており、この露光ランプ４と第１ミラー５は、コンタクトガラス３に載置された原稿を読取る際には、コンタクトガラス３の下方で図１中、左右方向に移動し、また、スリットガラス２の読取位置（図１の露光ランプ４からの光が照射される部分）上で原稿を読取る際には、スリットガラス２の下方で停止し、露光ランプ４によって原稿面に光を照射した後、この反射光を公知のように第１ミラー５および図示しないレンズ等の光学系を介して感光体ドラムに直接原稿の画像を結像してこの感光体ドラムに形成された静電潜像にトナー等を付着してこれを記録紙に転写したり、露光ランプ４によって原稿面を読取った後、この反射光を第１ミラー５および図示しないレンズ等の光学系を介してＣＣＤ等のイメージセンサに結像し、イメージセンサによって光信号を電気信号に変化してこの信号を用いて種々の画像形成手段によって記録紙に画像を転写する。
【００１７】
なお、露光ランプ４と第１ミラー５をコンタクトガラス３下方で図１中、左右方向に移動させて原稿の画像を読取るモードが第２読取モードに相当し、露光ランプ４と第１ミラー５をスリットガラス２の下方で停止して読取るモードが第１読取モードに相当する。
【００１８】
また、複写機１の上部には自動原稿搬送装置（以下単にＡＤＦという）６が装着されており、このＡＤＦ６は図示しないヒンジを介して複写機１に連結され、複写機１に対して開閉自在となっている。
【００１９】
また、ＡＤＦ６の下面にはコンタクトガラス３に載置された原稿をコンタクトガラス３に押圧するとともに、下面に原稿の読取時の白基準となる白色シート７ａおよび白色シート７ａの上面に設けられたクッション材７ｂを有する圧板８が設けられている。
【００２０】
また、ＡＤＦ６の上部には原稿載置台９が設けられており、この原稿載置台９には複数の原稿からなる原稿束が原稿面を上向きにして載置されるようになっている。また、原稿載置台９上には一対のサイドフェンス20ａ、20ｂが設けられており、一方のサイドフェンス20ａが原稿の幅方向に移動することにより、サイドフェンス20ｂと共に原稿を挟持するようにして原稿の幅方向を揃えるようになっている。
【００２１】
この原稿載置台９に載置された原稿束は、実線と破線で示す位置に移動可能に設けられ、原稿束に当接・離隔可能な呼出しコロ10によって給紙された後、共に時計方向に回転する分離コロ11およびリバースコロ12からなる分離コロ対によって最上位に位置する原稿が分離されるようになっている。
【００２２】
この分離コロ対によって分離された原稿は、搬送速度（回転速度）Ｖ1で回転する搬送
コロ対13によって給紙経路14を通ってスリットガラス２上に搬送されるようになっている。
【００２３】
また、スリットガラス２とコンタクトガラス３の間にはガイド部材15が配設されており、このガイド部材15はその上面が傾斜している。また、ガイド部材15上には搬送コロ21が設けられており、この搬送コロ21は原稿を排紙経路16上に搬送するようになっている。
【００２４】
そして、スリットガラス２下方で停止する露光ランプ４等によって原稿面が読取られた後、ガイド部材15によって上方にすくいあげられた後、排紙経路16に排紙される。この排紙経路16の端部には排紙コロ対17によって圧板８の上面に形成され、かつ原稿載置台９の下方に配設された原稿排紙台18上に原稿面が下面になった状態で排紙される。
【００２５】
また、本実施の形態では、原稿載置台９が原稿の搬送方向と同方向に延在するとともに、原稿の搬送方向が左右方向になるように原稿載置台９および原稿排紙台18が配置されている。
【００２６】
また、スリットガラス２上には白色ガイド部材19が設けられており、この白色ガイド部材19は原稿の読取時の白基準を構成し、原稿の搬送路の一部を構成している。
【００２７】
また、搬送コロ対13の搬送速度（回転速度）Ｖ1と搬送コロ21および排紙コロ対17の搬
送速度（回転速度）Ｖ2の関係は、Ｖ1＜Ｖ2＝Ｖ1×1.01となっており、搬送コロ21の搬送速度Ｖ2は搬送コロ対13の搬送速度Ｖ1に対して１％程度速く設定されている。なお、本実施の形態では、分離コロ11およびリバースコロ12からなる分離コロ対、搬送コロ対13、給紙経路14、排紙経路16、および排紙コロ対17が原稿搬送手段を構成している。
【００２８】
一方、図２、３に示すように原稿載置台９の手前側の所定箇所に切欠き部９ａが形成されているとともに、この切欠き部９ａの下方を含んだ原稿排紙台18の手前側の部分に平面状の凹部18ａが形成されており、凹部18ａとこの凹部18ａを除いた原稿排紙台18部分の境界部に段差18ｂが形成されている。
【００２９】
次に、作用を説明する。
【００３０】
まず、第２読取モードで原稿を読取る場合には、ＡＤＦ６をヒンジを介して開放した後、コンタクトガラス３に原稿を載置し、次いで、ＡＤＦ６を閉じて圧板８によって原稿をコンタクトガラス３上に押圧する。この状態で、複写機１に設けられたスタートスイッチを押下すると、露光ランプ４および第１ミラー５がコンタクトガラス３の下方で図１中、左右方向に移動して原稿を読取る。この読取られた原稿の画像は画像形成手段によって記録紙に転写される。
【００３１】
一方、第１読取モードで原稿を読取る際には、原稿載置台９に原稿面を上向きにして原稿束を載置し、スタートスイッチを押下すると、呼出しコロ10が破線で示す位置に移動して原稿束に当接して回転することにより原稿束を給紙する。
【００３２】
この原稿束は分離コロ11およびリバースコロ12からなる分離コロ対によって最上位に位置する原稿が分離された後、分離された原稿が搬送コロ対13によってスリットガラス２に向かって搬送される。
【００３３】
この原稿がスリットガラス２上に搬送されると、露光ランプ４および第１ミラー５がスリットガラス２の下方で停止した状態で原稿の読取りが開始される。
【００３４】
次いで、このスリットガラス２上の読取位置を通過した原稿がガイド部材15に接触するとこの原稿の先端が搬送コロ21とガイド部材15に挟持されることより、搬送コロ21によって搬送力が付与され、ガイド部材15によってすくいあげられて排紙経路16に案内される。
【００３５】
このとき、搬送コロ対13の搬送速度Ｖ2が搬送コロ21の搬送速度Ｖ1に対して１％程度速く設定されていることから、原稿がスリットガラス２から浮き上がった状態で非接触になり、かつ白色ガイド部材19の片面側と接触する面が非常に小さい状態を維持してガイド部材15によってすくい上げられる。次いで、搬送コロ21によって排紙経路16に案内される原稿は排紙コロ対17によって原稿排紙台18上に排紙されるようになっている。
【００３６】
本実施の形態では、原稿載置台９の手前側の所定箇所に切欠き部９ａを形成するとともに、この切欠き部９ａの下方を含んだ原稿排紙台18の手前側の部分に平面状の凹部18ａを形成したため、原稿排紙台18から原稿を取り出すときに、図４に示すように凹部18ａと原稿Ｐの間にユーザが指を挿入して原稿Ｐを取り出すことができ、原稿Ｐの取り出し性を良好なものにすることができる。
【００３７】
また、凹部18ａとこの凹部18ａを除いた原稿排紙台18部分の境界部に段差18ｂを形成したため、原稿排紙台９から取り出した原稿または原稿載置台９に載置する原稿を揃える際に、図５に示すように段差18ｂに原稿Ｐを突き当てて原稿Ｐを揃えることができる。このとき、切欠き部９ａが凹部18ａのスペースを避けているため、原稿Ｐを段差18ｂに確実に突き当てることができる。この結果、原稿Ｐを揃えるスペースを確保して原稿を簡単に揃えることができる。
【００３８】
また、本実施の形態では、原稿載置台９に載置された原稿を給紙して反転した後、原稿排紙台18上に排紙する原稿搬送手段を有するため、原稿載置台９と原稿排紙台18を２層構造にすることができ、ＡＤＦ６の設置スペースを少なくすることができる。
【産業上の利用可能性】
【００３９】
以上のように、本発明に係る自動原稿搬送装置は、原稿排紙台に排紙された原稿の取り出しを容易に行なうことができるとともに、原稿載置台に載置する原稿または原稿排紙台に排紙された原稿を簡単に揃えることができるスペースを得ることができるという効果を有し、原稿載置台の下方に原稿排紙台を設けることにより省スペース化を図ることができる自動原稿搬送装置等として有用である。
【図面の簡単な説明】
【００４０】
【図１】本発明に係る自動原稿搬送装置の一実施の形態を示す図であり、その概略構成図である。
【図２】一実施の形態の自動原稿搬送装置の外観斜視図である。
【図３】一実施の形態の自動原稿搬送装置の上面図である。
【図４】一実施の形態の原稿排紙台から原稿を取り出す状態を示す図である。
【図５】一実施の形態の段差で原稿を揃える状態を示す図である。
【図６】従来の自動原稿搬送装置の外観斜視図である。
【図７】従来の原稿排紙台から原稿を取り出す状態を示す図である。
【符号の説明】
【００４１】
６    ＡＤＦ（自動原稿搬送装置）
９    原稿載置台
９ａ    切欠き部
11    分離コロ（原稿搬送手段）
12    リバースコロ（原稿搬送手段）
13    搬送コロ対（原稿搬送手段）
14    給紙経路（原稿搬送手段）
16    排紙経路（原稿搬送手段）
17    排紙コロ対（原稿搬送手段）
18    原稿排紙台
18ａ    凹部
18ｂ    段差
【図１】
2006008415.tif 000003
【図２】
2006008415.tif 000004
【図３】
2006008415.tif 000005
【図４】
2006008415.tif 000006
【図５】
2006008415.tif 000007
【図６】
2006008415.tif 000008
【図７】
2006008415.tif 000009